(57)【要約】オーディオ及び／又はビデオコンテンツは、データベース（１０）内、リモート側にストアされている。リモート側にストアされたコンテンツの一部は、モバイル−オンデマンドオーディオ及び／又はビデオコンテンツ用アウトプットデバイス（１２）内に転送され、またストアされる。加えて、リンクがデバイス（１２）内に転送され、ストアされる。リンクは前記デバイス（１２）内にストアされたコンテンツ部分に関連しており、ローカル側のモバイルデバイス（１２）にストアされたコンテンツ部分に関連するリモート側にストアされたコンテンツの別の部分を示す。モバイルデバイス１２に入力されたユーザのコマンドに応じて、リモートにストアされたコンテンツの一部が双方向無線ステムを用いてアクセスされ、またアウトプットを目的として、前記モバイルデバイス（１２）へデータベース（１０）より転送される。
2004509423.tif 000002
【特許請求の範囲】
【請求項１】
ユーザに対してコンテンツをアウトプットするための方法であって、
モバイルデバイスのメモリ内で、リモート側にストアされたコンテンツに対するリンクをレシーブ及びストアする過程であって、前記リンクが前記モバイルデバイスのメモリ内にストアされたコンテンツに関連することを特徴とする過程と、
前記ユーザに対し前記リンクがストアされたことを提示する過程と、
前記リモート側にストアされたコンテンツにアクセスするためのコマンドをレシーブする過程と、
前記モバイルデバイス上で、前記リモート側にストアされたコンテンツにアクセスしアウトプットするために前記リンクを使用する過程とを含む方法。
【請求項２】
前記リモート側にストアされたコンテンツがビデオコンテンツを含むことを特徴とする請求項１に記載の方法。
【請求項３】
前記リモート側にストアされたコンテンツがオーディオコンテンツを含むことを特徴とする請求項１に記載の方法。
【請求項４】
前記提示過程が視覚的な合図をアウトプットする過程を含むことを特徴とする請求項１に記載の方法。
【請求項５】
前記提示過程が聴覚的な合図をアウトプットする過程を含むことを特徴とする請求項１に記載の方法。
【請求項６】
前記アクセスのためのコマンドが手動インプットされるコマンドであることを特徴とする請求項１に記載の方法。
【請求項７】
前記アクセスのためのコマンドが音声入力コマンドであることを特徴とする請求項１に記載の方法。
【請求項８】
前記リモート側にストアされたコンテンツにアクセスする過程が、双方向無線通信リンクを用いる過程を含むことを特徴とする請求項１に記載の方法。
【請求項９】
前記リモート側にストアされたコンテンツにアクセスする過程が、無線放送信号より前記リモート側にストアされたコンテンツをキャプチャする過程を含むことを特徴とする請求項１に記載の方法。
【請求項１０】
前記リモート側にストアされたコンテンツにアクセスする過程が、有線通信リンクを用いる過程を含むことを特徴とする請求項１に記載の方法。
【請求項１１】
前記ローカル側にストアされたコンテンツのアウトプットの末端と、前記リモート側にストアされたコンテンツのアウトプットの先頭との間に発生する遅延時間が、ほぼ１分よりも短いことを特徴とする請求項１に記載の方法。
【請求項１２】
さらに、前記リモート側にストアされたコンテンツのアウトプットのために前記ローカル側にストアされたコンテンツのアウトプットを中断する過程と、
前記リモート側にストアされたコンテンツのアウトプットが終了した後、引き続き前記ローカル側にストアされたコンテンツの残存部分をアウトプットする過程とを含むことを特徴とする請求項１に記載の方法。
【請求項１３】
ユーザに対してコンテンツをアウトプットするための方法であって、
モバイルデバイスのメモリ内部に、リモート側にストアされたコンテンツに対するリンクをレシーブしまたストアする過程であって、前記リンクが前記モバイルデバイスのメモリ内にストアされたコンテンツに関連することを特徴とする過程と、
前記モバイルデバイス上で前記リモート側にストアされたコンテンツに自動的にアクセスしまたアウトプットするためのリンクを使用する過程とを含む方法。
【請求項１４】
前記リモート側にストアされたコンテンツにアクセスする過程が、双方向無線通信リンクを使用する過程を含むことを特徴とする請求項１３に記載の方法。
【請求項１５】
前記リンクがリモート側にストアされたコンテンツを含むストレージロケーションにおける特定のロケーションを示すことを特徴とする請求項１３に記載の方法。
【請求項１６】
前記リモート側にストアされたコンテンツがビデオコンテンツを含むことを特徴とする請求項１３に記載の方法。
【請求項１７】
前記リモート側にストアされたコンテンツがオーディオコンテンツを含むことを特徴とする請求項１３に記載の方法。
【請求項１８】
ユーザに対してコンテンツをアウトプットする方法であって、
モバイルデバイスの内部に、リモート側にストアされたコンテンツに対するリンクをレシーブしストアする過程であって、前記リンクが前記モバイルデバイスのメモリ内にストアされたコンテンツに関連することを特徴とする過程と、
ユーザに対して前記リンクがストアされたという合図を提示する過程と、
前記リモート側にストアされたコンテンツにアクセスし、第２のコンテンツストレージデバイスに前記リモート側にストアされたコンテンツを転送するべくコマンドをレシーブする過程と、
前記第２のデバイスに対する前記リモート側にストアされたコンテンツのアクセス及び転送をリクエストするべく前記リンクを用いる過程とを含む方法。
【請求項１９】
前記リモート側にストアされたコンテンツがビデオコンテンツを含むことを特徴とする請求項１８に記載の方法。
【請求項２０】
前記リモート側にストアされたコンテンツがオーディオコンテンツを含むことを特徴とする請求項１８に記載の方法。
【請求項２１】
前記第２のデバイスがパーソナルコンピュータであることを特徴とする請求項１８に記載の方法。
【請求項２２】
前記リモート側にストアされたコンテンツが商品またはサービスのための購入リクエストに関連することを特徴とする請求項１８に記載の方法。
【請求項２３】
提示過程が視覚的な合図をアウトプットする過程を含むことを特徴とする請求項１８に記載の方法。
【請求項２４】
提示過程が聴覚的な合図をアウトプットする過程を含むことを特徴とする請求項１８に記載の方法。
【請求項２５】
前記アクセスのためのコマンドが手動インプットされるコマンドであることを特徴とする請求項１８に記載の方法。
【請求項２６】
前記アクセスのためのコマンドが音声入力コマンドであることを特徴とする請求項１８に記載の方法。
【請求項２７】
前記リモート側にストアされたコンテンツにアクセスする過程が、双方向無線通信リンクを用いる過程を含むことを特徴とする請求項１８に記載の方法。
【請求項２８】
前記リモート側にストアされたコンテンツにアクセスする過程が、無線放送信号より前記リモート側にストアされたコンテンツをキャプチャする過程を含むことを特徴とする請求項１８に記載の方法。
【請求項２９】
前記リモート側にストアされたコンテンツにアクセスする過程が、有線通信リンクを用いる過程を含むことを特徴とする請求項１８に記載の方法。
【請求項３０】
モバイルレシーバにコンテンツを提供するための方法であって、
リモート側のストレージロケーションにコンテンツをストアする過程と、
モバイルデバイスに対し前記ストアされたコンテンツの第１部分をアウトプットする過程と、
前記モバイルストレージデバイスに対し前記ストアされたコンテンツの第２部分へのリンクをアウトプットする過程であって、前記リンクが前記ストアされたコンテンツの第１部分に関連することを特徴とする過程と、
前記ストアされたコンテンツの前記第２部分へのアクセスのためのリクエストを前記モバイルストレージデバイスよりレシーブする過程と、
前記リクエストに応じて、前記ストアされたコンテンツの前記第２の部分を前記モバイルデバイスに対してアクセス及びアウトプットする過程とを含む方法。
【請求項３１】
前記リモート側にストアされたコンテンツがビデオコンテンツを含むことを特徴とする請求項３０に記載の方法。
【請求項３２】
前記リモート側にストアされたコンテンツがオーディオコンテンツを含むことを特徴とする請求項３０に記載の方法。
【請求項３３】
前記リモート側にストアされたコンテンツがデータベースとしてストアされることを特徴とする請求項３０に記載の方法。
【請求項３４】
さらに、前記ストアされたコンテンツの第３部分に対する第２のリンクを前記モバイルストレージデバイスに対してアウトプットする前記動作を含み、前記第２のリンクが前記ストアされたコンテンツの前記第１部分に関連することを特徴とする請求項３０に記載の方法。
【請求項３５】
ストアされたコンテンツの前記第２部分が第１の人口統計学的なカテゴリに関連し、前記ストアされたコンテンツの第３の部分が第２の人口統計学的なカテゴリに関連することを特徴とする請求項３４に記載の方法。
【請求項３６】
ストアされたコンテンツの前記第２および第３部分が広告であることを特徴とする請求項３５に記載の方法。
【請求項３７】
さらに、前記ストアされたコンテンツの第３部分に対する第２のリンクを前記モバイルストレージデバイスに対してアウトプットする前記動作を含み、前記第２のリンクが前記ストアされたコンテンツの前記第１の部分に関連することを特徴とする請求項３０に記載の方法。
【請求項３８】
モバイルレシーバに対してコンテンツを提供するための方法であって、
リモート側のストレージロケーションにコンテンツをストアする過程と、
モバイルデバイスに対し前記ストアされたコンテンツの第１部分をアウトプットする過程と、
前記ストアされたコンテンツの第２部分に対するリンクを前記モバイルストレージデバイスへアウトプットする過程であって、前記リンクが前記ストアされたコンテンツの第１部分に関連することを特徴とする過程と、
前記ストアされたコンテンツの前記第２部分へのアクセスのためのリクエストを前記モバイルストレージデバイスよりレシーブする過程と、
前記リクエストに応じて、前記ストアされたコンテンツの前記第２部分を前記モバイルデバイス以外のロケーションにアクセス及びアウトプットする過程とを含む方法。
【請求項３９】
前記リモート側にストアされたコンテンツがビデオコンテンツを含むことを特徴とする請求項３８に記載の方法。
【請求項４０】
前記リモート側にストアされたコンテンツがオーディオコンテンツを含むことを特徴とする請求項３８に記載の方法。
【請求項４１】
ローカル側にストアされたコンテンツ及びリモート側にストアされたコンテンツの双方をアウトプットするためのデバイスであって、
ユーザへアウトプットするためのストアされたローカルコンテンツと、前記ローカル側のコンテンツに関連するリモート側のストアされたコンテンツにアクセスするためのリンクとを含むメモリと、
前記メモリに電気的に接続され前記リンクがローカル側にストアされたことを提示するために構成されたインジケーターと、
前記リモート側にストアされたコンテンツにアクセスするために前記リンクを用いるべくコマンドを受容するために構成されたユーザ入力システムとを含む装置。
【請求項４２】
前記リモート側にストアされたコンテンツがビデオコンテンツを含むことを特徴とする請求項４１に記載の装置。
【請求項４３】
前記リモート側にストアされたコンテンツがオーディオコンテンツを含むことを特徴とする請求項４１に記載の装置。
【請求項４４】
前記インジケーターが視覚的アウトプットデバイスを含むことを特徴とする請求項４１に記載の装置。
【請求項４５】
前記インジケーターが聴覚的アウトプットデバイスを含むことを特徴とする請求項４１に記載の装置。
【請求項４６】
前記インプットシステムが手動インプットデバイスを含むことを特徴とする請求項４１に記載の装置。
【請求項４７】
前記インプットシステムが音声入力システムを含むことを特徴とする請求項４１に記載の装置。
【請求項４８】
モバイルコンテンツアウトプット装置であって、
メモリ内部にストアされたリンクを含み、
前記リンクが前記メモリ内部にストアされた第１のコンテンツ部分に関連し、
前記リンクが前記モバイルデバイスによって使用され、前記第１のコンテンツ部分に関連し前記モバイルデバイスから見てリモート側にストアされている第２コンテンツ部分へアクセスし、またアウトプットすることを特徴とする装置。
【請求項４９】
コンテンツ転送システムであって、
ストアされたコンテンツを含むコンテンツデータベースと、
前記ストアされたコンテンツの第１部分に対するアクセスのためのリクエストをモバイルデバイスよりレシーブするべく接続された双方向無線通信システムであって、前記第１部分が、前記ストアされたコンテンツの第２部分に関連し、前記モバイルデバイス内にローカル側にもストアされていることを特徴とするシステムと、
前記データベースに接続されたコンテンツアクセスコントローラーであって、前記アクセスコントローラが前記双方向通信システムより前記リクエストをレシーブし、前記データベースより前記リクエストされた第２コンテンツにアクセスし、前記双方向通信システムへ前記アクセスされた第２コンテンツをアウトプットするべく接続されることを特徴とするコントローラーとを含むシステム。
【請求項５０】
前記ストアされたコンテンツがオーディオコンテンツであることを特徴とする請求項４９に記載のシステム。
【請求項５１】
前記ストアされたコンテンツがビデオコンテンツであることを特徴とする請求項４９に記載のシステム。
【請求項５２】
コンテンツ転送システムであって、
コンテンツをストアするための手段と、
モバイル−オンデマンドコンテンツアウトプット装置に対して前記ストアされたコンテンツの第１部分を転送するための手段と、
前記ストアされたコンテンツの第２部分のアクセスおよび転送のためにリクエストをレシーブするための手段であって、前記第２部分が前記第１部分と関連することを特徴とする手段と、
前記コンテンツストア手段より、前記第２部分にアクセスするための手段と、
前記オンデマンドデバイスに対して、前記アクセスされた第２部分を転送するための手段とを含むシステム。
【発明の詳細な説明】
【０００１】
（発明の所属する分野）
本発明は、オーディオ／ビデオ−オンデマンドシステムに関し、更に詳しくは、リモート側のデータベースにおけるコンテンツの一部がオーディオ／ビデオ−オンデマンドレシーバ内、ローカル側にストアされ、ローカル側にストアされたコンテンツ部分に関連するデータベース中の追加的なコンテンツがレシーバによってアクセス可能なオーディオ／ビデオ−オンデマンドシステムに関する。
【０００２】
（従来技術）
オーディオもしくはビデオ情報（”コンテンツ”）を有するポータブルデバイスであって、半導体メモリ内にローカルに保存されているものは周知である（例えばＭＰ３オーディオプレイヤー、ポータブルコンピューター、およびパーソナルデジタルアシスタント（ＰＤＡ））。典型的には、コンテンツは、コンテンツがデバイスユーザーに対してアウトプットされ得る前に、別のデジタルソースからデバイスへと転送されなければならない。そのようなデジタルソースには、ローカル、即ちポータブルソース（例えばコンパクトディスク（ＣＤ）、デジタルビデオディスク（ＤＶＤ）、スマートカード等）が含まれ、またリモートソース（例えばパーソナルコンピューター（ＰＣ）、またはサーバーとして機能するコンピューター）が含まれる。これらコンテンツソースは、有線通信システム（例えば従来方式の電話システム（ＰＯＤＳ）、デジタル加入者回線（ＤＳＬ）、光ケーブルであり、インターネット（ここでインターネットとは、合衆国高等研究計画局による相互接続ネットワークのことをいう）に接続されているもの）、または無線通信システム（例えば地上波／衛星放送システム、携帯電話通信網システム、固定された無線もしくは衛星通信によるインターネット接続）を介してデバイスへと接続される。いずれもケースにおいても、ユーザは後のアウトプット（再生）のためにデバイス内のローカルにストアし、転送するためにオーディオまたはビデオコンテンツを選択する。ひとたびオーディオまたはビデオコンテンツの転送が終了してしまうと、典型的にはローカルにストアされたコンテンツに対しては、変更若しくはアップデートを行うことが出来ない。またローカルにストアされたコンテンツに関する追加的な情報は初期の転送終了後にはアクセスすることが出来ない。
【０００３】
表１では、複数の一般的コンテンツ消費デバイスの特性が示されている。
【０００４】
【表１】
2004509423.tif 000003
【０００５】
オーディオ／ビデオ−オンデマンドシステムは、コンテンツ（例えばニュース、音楽、金融情報、交通渋滞情報のような情報、またはエンターテイメント番組）をシステムユーザーに対しブロードキャストする。ブロードキャストコンテンツは、ユーザに対し連続的にアウトプット（再生）を行うために、モバイルレシーバ（例えばカリフォルニア州レッドウッドシティのコマンドオーディオコーポレーションによって提供されるもの）を用いて選択的に受信（キャプチャ）され、またローカルにストアされる。オーディオ／ビデオ−オンデマンドシステムに関する情報は、米国特許番号５，４０６，６２６、５，５２４，０５１、５，５７１，８０６，および５，５９０，１９５において開示されており、ここに言及したことにもって本願の一部とする。追加的な情報は、ＥＤＷＡＲＤ　Ｊ，ＣＯＳＴＢＬＬＯらよる、名称“Ｗｉｒｅｌｅｓｓ Ｓｏｆｔｗａｒｅ Ａｎｄ Ｃｏｎｆｉｇｕｒａｔｉｏｎ Ｐａｒａｍｅｔｅｒ Ｍｏｄｉｆｉｃａｔｉｏｎ Ｆｏｒ Ｍｏｂｉｌｅ Ｅｌｅｃｔｒｏｎｉｃ Ｄｅｖｉｃｅｓ”の米国特許出願番号０９／４５４，９０１（Ａｔｔｙ． Ｄｏｃｋｅｔ Ｎｏ． Ｍ−８１４３ ＵＳ）で開示されており、ここに参照したことで本願の一部とする。そのようなオンデマンドシステムは、ユーザに対しオンデマンド方式でオーディオコンテンツ若しくはビデオコンテンツを選択可能にしたが、そのようなシステムでのレシーバに関してはメモリ容量に限界が存在する。リモート側のデータベースにおいてストアされたコンテンツは、典型的にはレシーバのローカル側のメモリストレージ許容量よりも数倍（１０倍、１００倍、または１０００倍）大きい。
【０００６】
ある種の刻々と変化するオーディオまたはビデオ情報のために、ローカルにストアされたコンテンツに対するアップデートを受信することが望ましい。ローカルにストアされたコンテンツに関連する追加情報にアクセス可能であれば更に望ましい。加えて、関連する追加的なオーディオまたはビデオコンテンツが、ローカルにストアされたコンテンツが再生される間に利用可能となれば、ユーザに対してそのことを提示することが望ましい。
【０００７】
（発明の要約）
コンテンツはリモート側のデータベース内にストアされている。リモート側にストアされたコンテンツの一部は転送され、モバイル電子オーディオ／ビデオ−オンデマンドデバイス、ローカル側にストアされる。加えて、リンクが転送され、ローカル側のオンデマンドデバイス内にストアされる。リンクはローカル側にストアされたコンテンツに関連しており、またローカル側にストアされたコンテンツに関連するリモート側にストアされたコンテンツの一部分を示している。複数の例では、マルチ型リンクがローカルにストアされたコンテンツに関連づけられており、各々独自に関連づけられたリンクはリモート側にストアされたコンテンツの独自の部分を示している。マルチ型リンクは、例えば広告で用いるように、ユーザの人口統計学的情報にターゲットをしぼるために複数の実施例において用いられている。
【０００８】
ストアされたオンデマンドデバイスのユーザに対して、リンクの連絡（聴覚的、視覚的）が行われる。リンクは、関連するリモート側にストアされたコンテンツにアクセスするための要求を、ユーザのコマンド（手動、音声認識）に応じて生成する。別の実施例では、リクエストは自動的に生成される。リクエストはデータベースで電気的に接続されているコンテンツアクセスマネージャーに対して双方向無線通信システムを介してオンデマンドデバイスによって送信される。アクセスされたリモート側にストアされたコンテンツが、次に出力を目的としてオンデマンドデバイスに対して双方向通信システムを介してアクセスマネージャーによって転送される。複数の実施例においては、アウトプットは即時に実行されるが別の実施例においてはアウトプットが遅延する。
【０００９】
（詳細な説明）
表１においてリストされたシステムに対して、本発明の実施に際しては、ローカル側のコンテンツストレージに少容量のメモリ（数メガバイトオーダー）しか要求しない。複数の実施例は、例えば携帯電話、ＰＤＡ、およびモバイルコンピュータのようなその他のモバイルデバイスに対して、ソフトウェアを介して統合される。そのような実施例は、ここに記載されたサービスを提示するために専用の一つの目的しか持たないようなデバイスを要求しない。本発明の実施例によれば、ユーザはローカルにストアされたコンテンツ内の音声キューおよび／又は映像キューであって、ローカル側にストアされたコンテンツと共にアウトプットされるものに応じて、ボタンを押しまたボイスコマンドを用いることによってリモート側に（ローカルレシーバーとは離れている）ストアされたコンテンツにアクセスする。そのようなわけで、ユーザ、（例えばラジオブロードキャスト信号よりダウンロードされキャプチャされた）ローカル側にストアされたコンテンツと、ローカル側にストアされたコンテンツに関するリモート側にストアされたコンテンツとの双方にアクセスする。
【００１０】
表２はある種のコンテンツ（例えばローカル側にストアされたもの）が、どのようにして別の種類のコンテンツ（例えばリモート側にストアされたもの）に関連づけられるのかを示す複数の例を示すものである。表２における実施例は、ローカル側及びリモート側にストアされたコンテンツの間の、複数の可能な関係を示している。ある例において、“関連トランザクション”カラムのエントリは追加的な広告情報のためのリクエストに関する。別の例において、“関連トランザクション”カラムエントリは、例えば“購入”のような、ローカル側にストアされたコンテンツのストーリもしくはプログラムに関連する製品および／またはサービスを瞬時に満足して獲得するといった、別の行動を開始することを示す。
【００１１】
【表２】
2004509423.tif 000004
【００１２】
表３は本発明の主たる特徴を要約するものであり、モバイルレシーバとリモートデータベースとの間でどのようにしてオーディオ／ビデオ−コンテンツを転送させ、また管理するかについて記載している。
【００１３】
【表３】
2004509423.tif 000005
【００１４】
図１は本発明の実施例における機能的なブロック図を示すものである。サービスプロバイダー８は、オーディオおよび／またはビデオコンテンツをリモート側のコンテンツデータベース１０に提供しており、それは例えば半導体メモリ、回転型のメディアまたは別の恒久的形態でストアされている。典型的には、コンテンツは要求されるストレージ容量を節約したり、またモバイルオーディオ／ビデオ−オンデマンド再生デバイス１２（例えばカリフォルニア州レッドウッドシティのコマンドオーディオコーポレーションによって提供されるもの）に対しコンテンツを転送または放送するべく要求される帯域幅を縮小させたりするために、圧縮されたフォーマットを用いて、データベース１０内にストアされている。モバイルデバイス１２は、データベース１０よりレシーブしたコンテンツの一部がストアされるメモリ１３を含む。コンテンツデータベース１０は、図１で示されており、アクセス目的でコンテンツをストアする、リモート側に配置された複数のデータソースであってよい。
【００１５】
複数の実施例において、コンテンツは、ブロードキャストスケジューラ１４、従来方式のブロードキャスト転送インターフェイス１６（例えば電話線に接続されたコマーシャルラジオトランスミッタ）、および従来方式の電送タワー１８を介して、メモリ１３におけるローカル側のストレージのために転送される。トランスミッションタワー１８より送信されるブロードキャスト信号１９は、メモリ１３内にキャプチャされローカル側にストアされるコンテンツを含む。ブロードキャストスケジューラ１４は、コンテンツデータベース１０よりスケジュールされたブロードキャストコンテンツ部分（例えばプログラム）が転送される順序を決定する。ブロードキャストスケジューラ１４は、例えばコンテンツの優先度、順序、および転送されているコンテンツを大幅に変更するような時間帯制限といった理由によってコンテンツのブロードキャストをスケジュールする。
【００１６】
別の実施例では、コンテンツは、ダウンロードマネージャー２０、従来方式の有線接続２２（例えばパブリックスイッチ型電話システム（ＰＳＤＮ）、ＬＡＮネットワークにおけるイーサネット（登録商標）接続、パーソナルコンピューターに対する電気的接続）、および有線部２３を介してメモリ１３内部におけるローカル側のストレージに対して転送される。ダウンロードマネージャー２０は、モバイルデバイス１２がデータベース１０より特定のコンテンツ部分（例えばプログラム）をレシーブするためにオーソライズされるというようなベリファイ動作により、コンテンツのデリバリを制御する。
【００１７】
一度コンテンツがメモリ１３内に転送されまたストアされると、データベース１０においてリモート側にストアされていたコンテンツの一部がモバイルデバイス１２内部に存在することとなる。そのようなわけで、ローカル側にストアされたコンテンツ部分はオンデマンド方式でオーディオ／ビデオ−オンデマンドレシーバによってアクセス可能であり得り、そのことは米国特許番号５，４０６，６２６、５，５２４，０５１，および５，５９０，１９５に記載されている。コンテンツの再生のために、ユーザはインプットシステム２４（例えばボタンを含むもの）を用い、また特定のプログラム２６は従来方式のオーディオアウトプットスピーカー２８でアウトプットされる。
【００１８】
図２は本発明による実施例の第２の機能的ブロック図である。図２は、コンテンツの再生モードでの実施例を示しており、デバイス１２がメモリ１３内にローカルにストアされたコンテンツよりプログラム２６をアウトプットする様子を示している。本発明によれば、デバイス１２は、プログラム２６の出力の間、データベース１０より、リモート側にストアされたプログラム２６の追加的若しくは関連するコンテンツに対するアクセスを行う。複数の実施例では、追加的で関連する情報はデバイス１２のユーザよりもたらされるコマンドに応じてアクセスされる。別の例では、追加的もしくは関連する情報は。デバイス１２によって自動的にアクセスされる。
【００１９】
以下に詳しく述べるように、ローカルにストアされたコンテンツは、追加的または関連するリモートにストアされたコンテンツに対して、一つもしくは複数のリンクを有する。そのようなリンクの存在が、例えば視覚的ディスプレイ３０（例えば発光ダイオードの点滅、または液晶ディスプレイの点滅）もしくは、音声出力（例えば認識可能なトーン、または合成された音声）により、ユーザに対して提示される。リンクの存在を示す合図に気がつくと、ユーザはデバイス１２を制御してインプットシステム２４でデバイス１２にコマンドをインプットする（例えばボタンを押したり、従来方式の音声認識システム２５を用いて口頭でコマンド入力したりする）ことでデータベース１０よりのリンク情報にアクセスする。デバイス１２は双方向コミュニケーションタワー３４Ａに対する無線接続３２を開始することで、ユーザーコマンドに応答する。複数の実施例においては、デバイス１２は、タワー３４Ａの信号よりも強い信号が接続により提供される場合、変わりに双方向コミュニケーションタワー３４Ｂと無線接続３２Ｂとの接続を従来方式で開始させる。デバイス１２は、次に信号を送り、データベース１０より追加的または関連のコンテンツを要求するタワー３２Ａ及び３２Ｂによって受信される。双方向コミュニケーションタワー３２Ａもしくは３２Ｂよりのリクエストを含んだ信号は、従来方式の無線アクセスインターフェイス３６（例えば、携帯電話システムの携帯電話交換局（ＭＴＳＯ））を介してルートされる。無線アクセスインターフェイス６６は、従来方式の有線接続２２を介して、コンテンツアクセスコントローラ３８へとコンテンツのアクセスリクエストをルートする。コンテンツアクセルコントローラー３８は、優先接続２２より届くリクエストが認証を受けたユーザよりのものであると保証する。複数のモバイルデバイスのシステムにおいて、コンテンツアクセスコントローラ２８は、また各々モバイルデバイスよりの追加コンテンツリクエストを仲介する。
【００２０】
リクエストされたコンテンツが一度コンテンツデータベース１０よりのアクセスを受けると、コンテンツアクセスコントローラ３８はアクセスされたコンテンツを、有線接続２２、無線アクセスインターフェイス２６、双方向通信タワー３４ａもしくは３４ｂを介して、無線接続４０ａもしくは４０ｂ経由でモバイルレシーバ１２へと送り戻す。デバイス１２は信号４０ａ、４０ｂよりアクセスされたコンテンツをキャプチャし、アウトプット４２としてアクセスされたコンテンツをアウトプットする。複数の例では、アクセスされたコンテンツは出力後、デバイス１２内にストアされない。また別の例では、アクセスされたコンテンツがメモリ１３内にストアされ、ローカル側にストアされたコンテンツの一部となる。複数の例で、アクセスされたコンテンツがデータベース１０のリモート側にストアされた別コンテンツに対するリンクを有しても良く、それによってユーザへアウトプットする更なるコンテンツへのアクセスを可能とする。
【００２１】
図３Ａ及び図３Ｂは、ユーザに対するコンテンツアウトプットの時間シーケンスを示すものである。図３Ａは、ユーザに対するアウトプットであるメモリ１３よりのコンテンツを示し、図３Ｂはユーザに対するアウトプットであるデータベース１０よりのコンテンツを示すものである。図３Ａを参照すると、時間ｔ０においてモバイルデバイスのユーザがメモリ１３内部にストアされたコンテンツを再生し始め、コンテンツプログラム５０（Ｃ１）が再生開始される。リンク５２（Ｌ１）は（矢印５４で示されているように）コンテンツプログラム５０に関連しており、プログラム５０に追加もしくは関連するデータベース１０内部情報を指定する。リンク５２は、コンテンツデータベース１０内の追加または関連コンテンツの特定部分に従来方法でアクセスするに充分な情報を含んでいる。デバイス１２はプログラム５０のアウトプットの間リンク５２の存在を検出し、それに従ってそのようなリンクが利用可能であることをユーザに対し提示する。この実施例の図面では、ユーザはユーザーリンク５２によってリモート側のコンテンツにアクセスしないことを選択している。
【００２２】
コンテンツプログラム５０のアウトプットののち、デバイス１２は第２のコンテンツプログラム５６（Ｃ２）を時間ｔ１においてアウトプットし始める。リンク５８はプログラム５６に関連しており、そのことは矢印６０で図示されている。リンク５８は、データベース１０におけるプログラム５６に追加的でまたは関連する情報を示しており、デバイス１２はユーザに対してリンク５８が存在することを提示する。プログラム５６のアウトプットの間、ユーザは、時間ｔ２においてリンクが存在するという情報をデバイス１２上で認識し、リンク５８によって示されたコンテンツにアクセスするようデバイス１２に命じる。そして、デバイス１２は、上述されたような無線リンクを用いて、リンク５８によって示されたデータベース１０のコンテンツにアクセスする。
【００２３】
図３Ｂを参照すると、データベース１０よりのデータベースコンテンツ部分７０（ＤＢ１）がアクセスコントローラ３８（図２）によってアクセスされ、ユーザへのデバイス１２によるアウトプットが開始される（アクセス及び転送による遅延時間は図面の簡略化のため考慮されていない）。リンク７２（Ｌ３）はデータベースの一部分７０に関連するものであり、矢印７４によってそのことが示されている。この実施例において、リンク５８はまた第２のデータベースコンテンツ部分７６（ＤＢ２）へとアクセスし、それはコンテンツの一部分７０のアウトプットに直後に連続してユーザにアウトプットされる。
【００２４】
再び図３Ａを参照すると、時間ｔ３において、メモリ１３よりのローカル側にストアされたコンテンツが、データベース１０よりのコンテンツ（例えばコンテンツ部分７６の）アウトプットの直後にユーザ対し再出力される。この例では、プログラム５６のアウトプットが時間ｔ２で中断されていたので、プログラム５６（Ｃ２）の残存部分がユーザへアウトプットされる。プログラム５６のアウトプットが完了した後、デバイス１２はメモリ１３よりプログラム８０（Ｃ３）を出力する。データベース１０におけるコンテンツに対するリンク８２（Ｌ４）は、プログラム８０との関連を有しており（矢印８４）、リンク５２および５８と同様に働く。
【００２５】
図４において示されているように、ローカル側にストアされた特定コンテンツプログラムが、データベース１０におけるリモート側にストアされたコンテンツに対する１つもしくは複数のリンクを有してよい。そのようなわけで複数の実施例においてはプログラム９０（Ｃ）のために、１つのリンク９２（Ｌｗ）がプログラム９０に関連づけられる（矢印９３）。別の実施例では、４つのリンク９２（Ｌｗ）、９４（Ｌｘ）、９６（Ｌｙ）、および９８（Ｌｚ）がプログラム９０に関連づけられる（矢印９３、９５、９７、９９）。例えば、リンク９２は追加的なコンテンツに関するものであってもよく、９４は関連するコンテンツに関するものであってもよく、９６は購入トランザクションに関するものであってよく、また９８は広告に関するものであってよい。複数のリンクを有するようなケースでは、各々のリンクの存在がユーザに対してデバイス１２上にディスプレイされ、ユーザはどのリンクを選択するか決定する。ユーザが複数のリンクを選択する場合、ある実施例ではリモート側のコンテンツが逐次的にアクセスされるが、それに対して別の実施例では、デバイス１２が第２のリンクを有するリモート側のコンテンツにアクセスする前に、ローカルにストアされたコンテンツに戻って出力を行う。
【００２６】
複数の実施例は、ユーザは、アクセスされたリモート側にストアされたコンテンツだけでなく、ローカル側にストアされたコンテンツをもブラウズ可能である。例えば、ユーザはプログラム７０のアウトプットを受信し始めてもよく、無視してもよく、プログラム７６のアウトプット、プログラム５６のアウトプット、またはプログラム８０のアウトプットのいずれかにスキップしてもよい。ブラウジングを促進するために、リモート側の情報へのアクセスは約１分以内で行われ、ローカルにストアされたアウトプット及びリモートにアクセスされたコンテンツは相対的にシームレスである。複数の実施例においては、迅速なアクセスが、リモート側のデータベース１０の特定位置に対する関連リンクのポインティングによってなされる。
【００２７】
表４は少なくとも３つの異なる型のリンクを示すものである。
【００２８】
【表４】
2004509423.tif 000006
【００２９】
ユーザによって要求されるリンクは、デバイス１２のユーザが（ボタンを押したり、ボイスコマンドを用いたり、またはその他の動作によって）、リンクに追従することに興味を示した場合にのみ行われる。それに対し、デバイス１２は常に自動リンクも有する。そのようなわけで、リモート側のコンテンツは関連するローカル側のストアコンテンツが再生される間、一定時間自動的にアクセスされる。すなわち、自動リンクはユーザの興味に関連した指示を必要とせず、アクセスされたリモート側のコンテンツが自動検索され、デバイス１２上でアウトプットされる。
【００３０】
ターゲットリンクは、ユーザの人口統計学的プロフィール（例えば性別、年齢（例えば２５歳以上）、または別の情報（例えば飼い犬の有無））を利用しており、そのことで自動的に追従される複数のリンクのうちの１つを選択する。従って、男性がローカル側にストアされたコンテンツアウトプットを受信すると、“男性”リンクが利用可能となる。同様に、もし犬の飼い主がローカルにストアされたコンテンツアウトプットを受信すると（各々のデバイス１２は独自の識別子を有しており、各々のデバイス１２のユーザの統計学的なプロファイリングが可能となっている）、犬の飼い主のためのターゲットリンクが利用可能となる。ターゲットリンクの利用に関する別の実施例としては、性別ごとにターゲットの異なる広告リンクがニュースプログラムに挿入されるといったものがある。ゆえに、利用可能なリンクにアクセスしている女性がコンテンツデータベース１０の一部分（例えば女性をターゲットとする広告もしくは商品）にアクセスし、また利用可能なリンクにアクセスしている男性がコンテンツデータベース１０の別の部分（例えば男性をターゲットとする広告もしくは商品）にアクセスし得る。うまく定義されたグループにターゲットを絞った広告の場合、投資額に対する広告効果があがるので、広告主はそのようなターゲットを絞った広告の可能性に対し、典型的にはより高額な広告料を支払う。
【００３１】
表５はユーザが選択し得るリンクのパラメータについて示している。
【００３２】
【表５】
2004509423.tif 000007
【００３３】
複数の実施例では、ユーザがリンクを選択すると、転送またはアウトプットオプションに関する複数の選択肢が存在する。１つの例では、アクセスされたコンテンツが双方向無線接続信号３２ａおよび４０ａを用いてすぐに再生される。代替例としては、例えば有線接続２３もしくはブロードキャスト信号１９のようなものを介して、後から関連コンテンツがダウンロードされる場合もある。別の例では、アクセスされたリモート側のコンテンツが別デバイスに送られる。例えばそれは自宅もしくは職場のパーソナルコンピュータである。これらリンクのオプションは、アクセスされたリモート側のコンテンツがいつどこで出力され得るのか（即ち消費され得るのか）を決定する上で、ユーザに対し高い自由度を与えるものである。加えて、ユーザに対して自由度を与え、幾つかのシチュエーションでコンテンツ再生を保留させることで、コスト削減が可能となる。何故なら、双方向無線接続３２ａおよび４０ａの通信コストは、無線コンテンツよりダウンロードされるもしくは放送コンテンツよりキャプチャされるそれと比較すると、高コストであり得るからである。
【００３４】
表５の“アクセスされたコンテンツフォームは？”カラムは、リンクがプレゼンテーションメディア（音声、動画、画像イメージ、テキストなど）の選択を提供し得ることを示している。複数のメディアをアウトプットすることは、ある特定の時間においては不適切かもしれない。例えばユーザが自動車を運転しているような場合、同時にモバイルデバイス１２に送られるビデオを鑑賞することは不適切であるし危険でさえありうる。代わりに、テキストが、特殊フォーマットの関連する媒体ユーザのリクエストに応じて自宅または勤め先のパーソナルコンピュータにダウンロードされるブラウジング情報として好適メディアであり得る。
【００３５】
複数の実施例において、リンクが、モバイルデバイス１２のユーザに対して転送ロケーションを選択させる（例えばモバイルデバイス１２に転送するのか、または自宅もしくは職場の特殊なパーソナルコンピュータのような別のデバイスに転送するのか）。加えてリンクがメディアのコンテンツと共存し、また典型的には再生の間ユーザの指示を受けて開始されるようなアプリケーションへと一般化されても良い。上述した実施例において、リンクは、例えば“追加コンテンツをマイデスクトップに送る”、“今すぐ製品／サービスを購入”、もしくは、“関連情報の再生”のようなタスクを実行するべくモバイルデバイスに指示を出すシンプルなアプリケーションである。
【００３６】
図５は、複数の実施例においてコンテンツデータベース１０が、共通のコンテンツアクセスコントローラ１０２によってリンクされた複数の（２つもしくはそれより多い）別個のデータベースより生成されることを示すものである。ここに示されているように、ニュースコンテンツデータベース１０４、スポーツコンテンツデータベース１０６、ビジネスコンテンツデータベース１０８、および人気のある書籍のコンテンツデータベース１１０が、アクセスコントローラ１０２へと電気的に接続されている。これらコンテンツデータベース１０４、１０６、１０８、１１０は、物理的に同一ロケーションに存在していてもよく、もしくは物理的に複数のロケーションに離れて存在していても良い。リンクリクエスト１１２がコンテンツアクセスコントローラ１０２に送られると、リンク１１２は、どのコンテンツ（例えば“午後５時、ＡＢＣニュースプログラム、ストーリー３”のような、ストーリー若しくはプログラム）がアクセスされるべきかを単純に指定するかもしれない。そのような例では、リンクは（複数のコンテンツデータベース１０４、１０６、１０８、１１０のうち）どのコンテンツデータベースに特定のリモートコンテンツが存在するかを表示しないかもしれない。それゆえアクセスコントローラ１０２はリンクリクエスト１１２をレシーブし、リクエスト１１２を解析して、どのコンテンツデータベースにリクエストされたコンテンツがストアされているかを決定し、適宜にアクセスされたコンテンツにアクセスし、アセンブルする。そのようにリンク（例えばリンク５２、５８、７２、８２（図３Ａおよび３Ｂ））は単純化され、コンテンツは、メモリ１３にストアされたコンテンツの対応するリンクを変更しなくとも、新しいデータベースをアクセスコントローラ１０２へ接続させることでアップデートされ得る。
【００３７】
ここに記述した実施例は、本願をこれに限定するものではない。例えば複数の例では、ローカル及びリモート側にストアされたコンテンツには、オーディオ、もしくはビデオ情報に加え、またはその代わりとして、データ（例えば英数字のデータおよび音声合成）を含んでいる。加えて、リモート側にストアされたコンテンツはデータベースのようにストアされる必要はないが、コンテンツがここに記述されたようにアクセスされ得るべくストアされる必要はある。要求されるプログラミング及び通信フォーマットはこの明細書に鑑みてルーチンであって、多くの変形実施例が考えられる。本発明の範囲は特許請求の範囲によって示すものであって、明細書本文には何ら拘束されない。
【図面の簡単な説明】
【図１】
図は、本発明の実施例を示す線図である。
【図２】
図は、本発明の別の実施例を示す線図である。
【図３Ａ】
図は、ローカルおよびリモート側にストアされたコンテンツのアウトプットを示すものである。
【図３Ｂ】
図は、ローカルおよびリモート側にストアされたコンテンツのアウトプットを示すものである。
【図４】
図は、ローカル側にストアされたコンテンツに関連するシングル型及びマルチ型リンクを示すものである。
【図５】
図は、マルチ型コンテンツデータベースを示す線図である。
【図１】
2004509423.tif 000008
【図２】
2004509423.tif 000009
【図３Ａ】
2004509423.tif 000010
【図３Ｂ】
2004509423.tif 000011
【図４】
2004509423.tif 000012
【図５】
2004509423.tif 000013
【国際公開パンフレット】
2004509423.tif 000014
2004509423.tif 000015
2004509423.tif 000016
2004509423.tif 000017
2004509423.tif 000018
2004509423.tif 000019
2004509423.tif 000020
2004509423.tif 000021
2004509423.tif 000022
2004509423.tif 000023
2004509423.tif 000024
2004509423.tif 000025
2004509423.tif 000026
2004509423.tif 000027
2004509423.tif 000028
2004509423.tif 000029
2004509423.tif 000030
2004509423.tif 000031
2004509423.tif 000032
2004509423.tif 000033
2004509423.tif 000034
2004509423.tif 000035
2004509423.tif 000036
2004509423.tif 000037
2004509423.tif 000038
2004509423.tif 000039
2004509423.tif 000040
2004509423.tif 000041
2004509423.tif 000042
【国際公開パンフレット（コレクトバージョン）】
2004509423.tif 000043
2004509423.tif 000044
【国際調査報告】
2004509423.tif 000045
2004509423.tif 000046